(57)【要約】【要  約】【課  題】    昇降グリルを昇降させる昇降装置を備えた天井埋込型空気調和装置において、室内機本体を極力コンパクトにすることができる天井埋込型空気調和装置を提供する。【解決手段】  天井埋込型空気調和装置は、天井内に設置される室内機本体１と、空気吸込口２２および吹出口２３を具備するとともに、室内機本体の下端に取り付けられて天井板６の開口部を覆うグリル枠２１と、上昇時には前記グリル枠の吸込口に位置するとともに、フィルター４１を着脱可能に具備する昇降グリル３１と、昇降グリルに取り付けられた吊りひも３３を巻取り・繰り出しすることにより昇降グリルを昇降させる昇降装置３６とを備えている。そして、前記昇降装置がグリル枠上で、かつ、室内機本体の外装板２よりも外側に配置されている【選択図】    図４
2005016932.tif 000002
【特許請求の範囲】
【請求項１】
天井内に設置される室内機本体と、
空気吸込口および吹出口を具備するとともに、室内機本体の下端に取り付けられて天井板の開口部を覆うグリル枠と、
上昇時には前記グリル枠の吸込口に位置するとともに、フィルターを着脱可能に具備する昇降グリルと、
昇降グリルに取り付けられた吊りひもを巻取り・繰り出しすることにより昇降グリルを昇降させる昇降装置とを備え、
前記昇降装置がグリル枠上で、かつ、室内機本体の外装板よりも外側に配置されていることを特徴とする天井埋込型空気調和装置。
【請求項２】
前記室内機本体は、側面の前後にそれぞれ固定部が設けられ、これら固定部で室内機本体が天井内の構造体に固定されており、
前記昇降装置は、前記室内機本体における前後の固定部の間に配置されていることを特徴とする請求項１記載の天井埋込型空気調和装置。
【請求項３】
前記室内機本体は、内部に電装箱が設けられ、この電装箱に隣接して前記昇降装置が配置されていることを特徴とする請求項１に記載の天井埋込型空気調和装置。
【請求項４】
前記室内機本体は、前記電装箱が配置されている側の反対側に、冷媒配管用の接続口が配置されていることを特徴とする請求項３に記載の天井埋込型空気調和装置。
【請求項５】
前記昇降装置は、３本の吊りひもを有し、これら３本の吊りひものうち、２本が前記昇降グリルの前側又は後側の一方の側の両端部に取り付けられ、残りの１本が昇降グリルの前側又は後側の他方の側の中央部に取り付けられていることを特徴とする請求項１に記載の天井埋込型空気調和装置。
【請求項６】
前記吹出口は吸込口を挟んで前後に一対、左右方向に長く設けられ、
前記昇降装置は、吸込口の横側で、かつ、前後の吹出口の延長線上の間に配置されることを特徴する請求項１に記載の天井埋込型空気調和装置。
【発明の詳細な説明】
【技術分野】
【０００１】
本発明は、天井埋込型空気調和装置に関する。
【背景技術】
【０００２】
従来、天井埋込型空気調和装置には、たとえば特許文献１や特許文献２に記載されているように、フィルターを掃除したり、或いはフィルターを交換するために、昇降装置でフィルターが設けられた昇降グリルを上下動可能にしている。
【特許文献１】特開２００２−３４９８９３号公報
【特許文献２】特開平１０−１９６９９８号公報
【発明の開示】
【発明が解決しようとする課題】
【０００３】
ところで、上記昇降装置は、室内機本体の外装板よりも内側に配置されている。そのため、室内機本体の内部空間に、昇降装置を配置するスペースを確保する必要があり、室内機本体が大型化してしまうことになる。また、天井板には、室内機本体を取り付けるための開口が形成されているが、天井板の開口と室内機本体との間の隙間は、室内機本体の取付作業のために比較的大きくなっている。しかしながら、この天井板の開口と室内機本体との間の空間は有効活用されていなかった。
【０００４】
本発明は、以上のような課題を解決するためのもので、昇降グリルを昇降させる昇降装置を備えた天井埋込型空気調和装置において、室内機本体を極力コンパクトにすることができる天井埋込型空気調和装置を提供することを目的としている。
【課題を解決するための手段】
【０００５】
請求項１に記載の発明は、天井内に設置される室内機本体と、空気吸込口および吹出口を具備するとともに、室内機本体の下端に取り付けられて天井板の開口部を覆うグリル枠と、上昇時には前記グリル枠の吸込口に位置するとともに、フィルターを着脱可能に具備する昇降グリルと、昇降グリルに取り付けられた吊りひもを巻取り・繰り出しすることにより昇降グリルを昇降させる昇降装置とを備えている。そして、前記昇降装置がグリル枠上で、かつ、室内機本体の外装板よりも外側に配置されていることを特徴とする。
【０００６】
請求項２に記載の発明は、請求項１に記載の天井埋込型空気調和装置において、前記室内機本体は、側面の前後にそれぞれ固定部が設けられ、これら固定部で室内機本体が天井内の構造体に固定されており、前記昇降装置は、前記室内機本体における前後の固定部の間に配置されていることを特徴とする。
【０００７】
請求項３に記載の発明は、請求項１に記載の天井埋込型空気調和装置において、前記室内機本体は、内部に電装箱が設けられ、この電装箱に隣接して前記昇降装置が配置されていることを特徴とする。
【０００８】
請求項４に記載の発明は、請求項３に記載の天井埋込型空気調和装置において、前記室内機本体は、前記電装箱が配置されている側の反対側に、冷媒配管用の接続口が配置されていることを特徴とする。
【０００９】
請求項５に記載の発明は、請求項１に記載の天井埋込型空気調和装置において、前記昇降装置は、３本の吊りひもを有し、これら３本の吊りひものうち、２本が前記昇降グリルの前側又は後側の一方の側の両端部に取り付けられ、残りの１本が昇降グリルの前側又は後側の他方の側の中央部に取り付けられていることを特徴とする。
【００１０】
請求項６に記載の発明は、請求項１に記載の天井埋込型空気調和装置において、前記吹出口は吸込口を挟んで前後に一対、左右方向に長く設けられ、前記昇降装置は、吸込口の横側で、かつ、前後の吹出口の延長線上の間に配置されることを特徴する。
【発明の効果】
【００１１】
本発明によれば、昇降装置がグリル枠上で、かつ、室内機本体の外装板よりも外側に配置されているので、天井板の開口部と室内機本体との隙間を有効利用することができる。その結果、室内機本体をコンパクトにすることができる。
【００１２】
また、昇降装置が、室内機本体側面の前後の固定部の間に配置されている場合には、前後の固定部間の空間を有効利用することができる。
【００１３】
さらに、室内機本体の電装箱に隣接して昇降装置が配置されている場合には、電装箱と昇降装置との配線を短くすることができるとともに、取付作業が簡単となる。
【００１４】
そして、電装箱が配置されている側とは反対側に、冷媒配管用の接続口が配置されている場合には、冷媒配管用の接続口が、昇降装置の設置の妨げになることを防止することができる。
【００１５】
また、３本の吊りひもを有し、これら３本の吊りひものうち、２本が前記昇降グリルの前側又は後側の一方の側の両端部に取り付けられ、残りの１本が昇降グリルの前側又は後側の他方の側の中央部に取り付けられている場合には、少ない本数の吊りひもで安定して昇降グリルを上下動することができる。
【発明を実施するための最良の形態】
【００１６】
次に、本発明における天井埋込型空気調和装置の実施の一形態を図１ないし図４を用いて説明する。図１は本発明における天井埋込型空気調和装置の実施の一形態の斜視図である。図２はグリル枠、フィルターおよび昇降グリルの分解斜視図である。図３は室内機本体の底面図である。図４は天井埋込型空気調和装置の部材の位置関係を示す説明図である。なお、図１において、昇降グリルはグリル枠に取り付けられた状態と、下降した状態の両方の状態で図示されている。また、図３において、グリル枠および昇降装置は二点鎖線で図示されている。さらに、図４において、電装箱が二点鎖線で図示され、吊りひもおよび昇降装置内の巻取りドラムは破線で図示されている。そして、この明細書において、天井埋込型空気調和装置の長手方向を左右方向としている。
【００１７】
天井埋込型空気調和装置の室内機本体１の外装板２には、その左右両側面の前後に固定部としての固定フランジ３が総計４個設けられている。被空調室の天井板６には、室内機本体１を下側から天井内に設置することが可能なように開口部７が形成される。この開口部７は略四角形をしており、図３に図示するように、平面図視で、固定フランジ３が設けられている室内機本体１よりも大きく形成されている。
【００１８】
また、アンカーボルト９が天井内の構造体（図示しない）に取り付けられており、このアンカーボルト９の下端部に室内機本体１の固定フランジ３を固定することにより、室内機本体１は天井内に設置される。
【００１９】
室内機本体１は、内部に熱交換器（図示しない）および送風機（図示しない）を具備しており、冷媒配管用の接続口１１およびドレン用の接続口１２が、室内機本体１の外装板２から外側に突出して設けられている。冷媒配管用の接続口１１は、冷媒配管１３で室外機（図示しない）に接続される。また、ドレン用の接続口１２にはドレン配管１４が接続される。そして、室内機本体１の底面には、吸込口１６および吹出口１７が形成されている。吸込口１６は室内機本体１の底面の中央部に設けられ、この吸込口１６を挟んで前後に吹出口１７が一対に設けられている。この吹出口１７は左右方向に長く設けられている。また、室内機本体１の電装箱１８は外装板２の内側に設けられるとともに、接続口１１，１２とは反対側に配置されている。
【００２０】
天井板６の開口部７および室内機本体１の下方は、グリル枠２１で覆われている。このグリル枠２１は、室内機本体１の吸込口１６および吹出口１７に対応する位置に、吸込口２２および吹出口２３を具備している。すなわち、吸込口２２はグリル枠２１の中央部に設けられ、この吸込口２２を挟んで前後に吹出口２３が一対に設けられている。この吹出口２３は左右方向に長く設けられている。グリル枠２１は室内機本体１のグリル係止具２６を利用して室内機本体１に取り付けられている。
【００２１】
グリル枠２１の吸込口２２には、昇降グリル３１が配設されている。この昇降グリル３１には、前側の左右および後側の中央部に吊りひも３３が各々取り付けられている。計３本の吊りひも３３の上端は、グリル枠２１の上に設けられている昇降装置３６の巻取りドラム３７に各々取り付けられている。昇降装置３６の外郭を構成するケースは略直方体の箱形状をしており、そのケースの内側に複数の巻取りドラム３７や、この巻取りドラム３７を回転駆動するモータ（図示しない）などが設けられている。巻取りドラム３７は吊りひも３３毎に設けられている。昇降装置３６はグリル枠２１の上面に取り付けられ、吸込口２２の横側で、かつ、前後の吹出口２３の延長線上の間に配置されている。そして、グリル枠２１が室内機本体１に取り付けられた状態では、昇降装置３６は室内機本体１の外装板２を介して電装箱１８に隣接しているとともに、前後の固定フランジ３の間に位置している。昇降装置３６が稼働して、吊りひも３３を巻取り・繰り出しすると、昇降グリル３１は上下方向に移動する。この昇降グリル３１にフィルター４１が着脱可能に取り付けられており、フィルター４１を着脱する際には、昇降グリル３１を下降させ、また、空気調和の際には、昇降グリル３１を上昇させて吸込口２２に配設する。そして、グリル枠２１の吸込口２２から吸い込まれた空気は、室内機本体１の熱交換器で冷却または加熱されて、グリル枠２１の前後の吹出口２３から吹き出される。
【００２２】
前述の様に、上記実施の形態においては、昇降装置３６は電装箱１８に隣接しており、簡単に互いに短い電気配線で接続することができるとともに、工事が簡単になる。また、天井板６の開口部７と室内機本体１との間の空間に昇降装置３６が設置されており、天井板６の開口部７と室内機本体１との間の隙間を有効利用することができ、室内機本体１をコンパクトとすることができる。
【００２３】
さらに、昇降装置３６の外郭を構成するケースは略直方体の箱形状をしており、グリル枠２１を室内機本体１に取り付ける際に、昇降装置３６を天井板６の開口部７と室内機本体１との間の空間に容易に差し込むことができる。万一、昇降装置３６にケースが設けられず、昇降装置３６の巻取りドラム３７やその駆動機構などが露出していると、巻取りドラム３７やその駆動機構などが作業中に他の部材などに引っ掛かるおそれがある。
【００２４】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）吊りひも３３は、前側に２本、後側に１本であるが、前後を逆にして、前側に１本、後側に２本とすることも可能である。また、吊りひも３３の本数を変更することも可能である。たとえば、４本とすることも可能である。ただし、３本にすることがコスト上好ましい。
（２）昇降装置３６は、吊りひも３３を巻き上げ・繰り出しができるならば、その構造や形式は適宜変更可能である。
（３）吹出口２３は前側および後側の２か所に設けられているが、その個数や配置箇所などは適宜変更可能であり、たとえば、配置箇所を１か所にすることも可能である。
（４）室内機本体１を天井内の構造体に支持させるための固定手段は適宜変更可能である。
【図面の簡単な説明】
【００２５】
【図１】図１は本発明における天井埋込型空気調和装置の実施の一形態の斜視図である。
【図２】図２はグリル枠、フィルターおよび昇降グリルの分解斜視図である。
【図３】図３は室内機本体の底面図である。
【図４】図４は天井埋込型空気調和装置の部材の位置関係を示す説明図である。
【符号の説明】
【００２６】
１  室内機本体
２  室内機本体の外装板
３  固定フランジ（固定部）
６  天井板
７  天井板の開口部
１１  冷媒配管用の接続口
１８  電装箱
２１  グリル枠
２２  グリル枠の吸込口
２３  グリル枠の吹出口
３１  昇降グリル
３３  吊りひも
３６  昇降装置
４１  フィルター
【図１】
2005016932.tif 000003
【図２】
2005016932.tif 000004
【図３】
2005016932.tif 000005
【図４】
2005016932.tif 000006